(57)【要約】【課題】通気性と指圧効果を改善した繊維パッドおよび敷布団を提供する。【解決手段】繊維パッド２は、一方向に列設した筒状部７を有するパッド本体８と、パッド本体８の各筒状部７に充填された繊維球状体９とから構成される。敷布団１は、一方向に列設した筒状部７に繊維球状体９を充填した繊維パッド２の下側に繊維層３を配置した中綿積層体５を布製外被体６に収納して構成される。【選択図】  図１
2004242697.tif 000002
【特許請求の範囲】
【請求項１】
長手方向を横切る方向に列設した筒状部を有するパッド本体と、このパッド本体の各筒状部に充填された繊維球状体とを有する繊維パッド。
【請求項２】
パッド本体の両端側に位置する筒状部に硬質繊維球状体を充填し、中間に位置する筒状部に軟質繊維球状体を充填したことを特徴とする請求項１に記載の繊維パッド。
【請求項３】
繊維球状体は、フェルトボールであることを特徴とする請求項１または２に記載の繊維パッド。
【請求項４】
フェルトボールは、低融点繊維を含む繊維を加熱加圧処理して成形されることを特徴とする請求項３に記載の繊維パッド。
【請求項５】
長手方向を横切る方向に列設した筒状部に繊維球状体を充填した繊維パッドとその下側に配置された繊維層とを有する中綿積層体を布製外被体に収納したことを特徴とする敷布団。
【請求項６】
繊維層の上下の少なくとも一方にウレタンフォーム層を配置したことを特徴とする請求項５に記載の敷布団。
【請求項７】
列設した繊維パッドの両端側に位置する筒状部に硬質繊維球状体を充填し、中間に位置する筒状部に軟質繊維球状体を充填したことを特徴とする請求項４ないし６のいずれか１項に記載の敷布団。
【請求項８】
列設した繊維パッドの長さを下側に位置する繊維層の長さより短くし、列設した繊維パッドを下側に位置する繊維層の長さ方向中間に配置し、繊維パッドの両端に隣接して別の繊維層を配置したことを特徴とする請求項５ないし７のいずれか１項に記載の敷布団。
【請求項９】
中綿積層体に加熱手段を配置したことを特徴とする請求項５ないし８のいずれか１項に記載の敷布団。
【請求項１０】
繊維パッドを繊維層を含む積層体に分離可能に配置したことを特徴とする請求項５ないし９のいずれか１項に記載の繊維パッド。
【発明の詳細な説明】
【０００１】
【発明の属する技術分野】
本発明は、通気性と指圧効果を改善した繊維パッドおよび敷布団に関する。
【０００２】
【従来の技術】
クッション材を軟質ポリウレタンフォームを２次元裁断加工により長さ方向に連続する凹凸部を形成するとともに中央部に位置する凸部を他部の凸部より高く形成し、そのクッション材を布製外被体に収納した敷布団は知られている（例えば、特許文献１参照）。
【０００３】
遠赤外線放射生地、遠赤外線放射繊維層、ポリウレタンフォーム層、多極マグネット層を含む中綿積層体を布製外被体に収納した敷布団は知られている（例えば、特許文献２参照）。
【０００４】
長手方向に区分された頭部、腰部および脚部に対応する３つの部位に外形が異なる三次元曲面の凹凸面を形成し、３つの部位の硬度をそれぞれ異なる構造とした敷布団は知られている（例えば、特許文献３参照）。
【０００５】
【特許文献１】
特開２０００−１０６９８４号公報（段落００１４および図１）
【特許文献２】
特開平１１−１９２３３号公報（段落０００６および図２）
【特許文献３】
特開平１０−２７２０３６号公報（段落００１２および図３）
【０００６】
【発明が解決しようとする課題】
軟質ポリウレタンフォームに連続する凹凸部を形成したクッション材を布製外被体に収納した敷布団は、クッション材の凹凸部を一体成形により形成しているため、凹凸部の硬さや凹凸部の大きさを調節することがむずかしく、使用者の身体の部位に対応した硬さの調整や指圧に関与する指点の大きさの調整ができない。
【０００７】
遠赤外線放射繊維層と多極マグネット層を含む中綿積層体を布製外被体に収納した敷布団は、磁気治療効果や指圧効果を有しているが、クッション材を一体成形により作っているので、身体の部位に対応した硬さの調整や指圧に関与する指点の大きさの調整ができない。
【０００８】
長手方向に区分された３つの部位に三次元曲面の凹凸面を形成し、３つの部位の硬度を異なる構造とした敷布団は、使用者の身体の部位に対応した硬さの調整はできても、通気性や吸放湿性に劣けるため、使用中に中綿積層体にかびを発生させてしまうことがある。
【０００９】
本発明は、上記した点を考慮してなされたもので、通気性と指圧効果を改善した繊維パッドおよび敷布団を提供することを目的とする。
【００１０】
【課題を解決するための手段】
本発明の繊維パッドは、長手方向を横切る方向に列設した筒状部を有するパッド本体と、このパッド本体の各筒状部に充填された繊維球状体とを有し、使用者の体圧がかかっても、パッド本体の筒状部に充填された繊維球状体がつぶれないので、一定の空間を保つことができ、高い通気性を保持するとともに指圧効果を改善することができる。
【００１１】
本発明の敷布団は、長手方向を横切る方向に列設した筒状部に繊維球状体を充填した繊維パッドとその下側に配置された繊維層とを有する中綿積層体を布製外被体に収納したことで、使用者の体圧がかかっても、繊維パッドの筒状部に充填された繊維球状体がつぶれないので、一定の空間を保つことができ、高い通気性を保持するとともに指圧効果を改善することができる。
【００１２】
【発明の実施の形態】
以下、本発明の実施の形態を図面を参照しながら説明する。
本発明による好ましい実施の形態の敷布団１は、図１に示すように、繊維パッド２と繊維層３とウレタンフォーム層４とで形成された中綿積層体５と、この中綿積層体５を収納する布製外被体６とで構成される。
【００１３】
上記繊維パッド２は、布地を素材として形成された筒状部７をその長手方向と直交する方向に列設した繊維パッド本体８と、繊維パッド本体８の各筒状部７に充填された繊維球状体９とを有する。
図１に示す繊維パッド本体８は、長手方向と直交する方向に筒状部７を列設して構成されているが、筒状部７を長手方向を横切る方向たとえぱ長手方向中心線に対して左方向３０度または右方向３０度で列設して構成してもよい。
【００１４】
図１に示す繊維パッド本体８は、１枚の布地を２つ折りし、複数の筒状部７を形成するように縫合して形成されているが、繊維パッド２は、２枚の布地を重ね合わせ複数の筒状部７を形成するように縫合して形成することもできるし、布地を素材として予め形成した複数の筒状部７を並列配置し、隣り合う筒状部７同士を互いに縫合して形成することもできる。
【００１５】
上記繊維パッド２は、図１に示すように、長手方向に沿って３つの領域１０．１１．１２に分けられている。領域１０は、使用者の頭部に対応する領域であり、領域１１は、使用者の肩部から腰部に対応する領域であり、領域１２は、使用者の脚部に対応する領域である。
【００１６】
上記繊維パッド２は、領域１０の筒状部７に直径１０ｍｍ程度の軟質繊維球状体を充填し、領域１１の筒状部７に直径１５〜２０ｍｍ程度の硬質繊維球状体を充填し、領域１２の筒状部７に直径１５〜２０ｍｍ程度の軟質繊維球状体を充填して構成されることが好ましい。
【００１７】
上記繊維パッド２は、領域１０の筒状部７に直径１５〜２０ｍｍ程度の硬質繊維球状体を充填し、領域１１の筒状部７に直径１０ｍｍ程度の軟質繊維球状体を充填し、領域１２の筒状部７に直径１０ｍｍ程度の軟質繊維球状体を充填して構成することもできる。
【００１８】
上記繊維パッド２は、領域１０の筒状部７に直径１５〜２０ｍｍ程度の硬質繊維球状体を充填し、領域１１の筒状部７に直径１０ｍｍ程度の軟質繊維球状体を充填し、領域１２の筒状部７に直径１５〜２０ｍｍ程度の硬質繊維球状体を充填して構成することもできる。
【００１９】
上記繊維パッド２は、筒状部７に充填された繊維球状体の硬さを調節することで、一定の空間を保つことができ、高い通気性を保持するとともに、使用者の体の部位ごとに適正な硬さの点状指圧効果を得ることができる。
【００２０】
上記繊維層３は、綿や羊毛のような天然繊維やレーヨンやナイロンのような化学繊維またはこれらを混合した繊維からなる原綿材料をカード機械を通すことで形成されるウエブを多層に積層することで作られる。繊維層３５の厚さおよび単位面積当たりの重さは使用目的に応じて調節される。
【００２１】
上記ウレタンフォーム層４は、通常タイプの圧縮弾性回復力を備えた構造である。このウレタンフォーム層４は、圧縮弾性回復力を備えた樹脂わた層とすることもできる。
上記ウレタンフォーム層４は、図１に示すように、繊維層３の下側に配置されているが、ウレタンフォーム層４は、繊維層３の上側に配置したり、繊維層３の上下両方に配置することもできる。
【００２２】
上記繊維球状体９は、３０重量％の低融点繊維を含む天然繊維または化学繊維からなる繊維素材を球状成型プレートを用いて加熱加圧処理することで成形される。これにより作られた繊維球状体９は、外部からの圧力や衝撃に対する形状安定性を有する。繊維球状体９の硬さは、繊維の種類や密度、あるいは付加的に混入される粉体によって調整される。繊維球状体９は、外面に被覆層をコーティングすることで硬さを調整することもできる。
【００２３】
上記繊維球状体９は、外面が滑らかな球状体に限らず、外面にイボ状突起やリング状突起を設けた球状体、角部を曲面とした多角形体あるいは楕円球状体であってもよい。
【００２４】
本発明による敷布団は、中綿積層体の上面に長手方向を横切る方向に列設した筒状部に繊維球状体を充填した繊維パッドを有するので、使用に際して、繊維パッドの上側に使用者の体圧がかかっても、繊維パッドの筒状部に充填された繊維球状体がつぶれないので、繊維パッドは一定の厚さ空間を保ち、高い通気性を保持するとともに繊維球状体による指圧効果を奏する。
【００２５】
本発明による敷布団の他の実施の形態を図２ないし図４に示す。
図２に示す敷布団１ａは、図１に示す敷布団１と比較すると、中綿積層体５ａの上層に位置する繊維パッド２ａの構成が相違している。
【００２６】
図２に示す敷布団１ａは、繊維パッド２ａをその全長がほぼ使用者の肩部から腰部に対応する領域に相応する長さとしている。繊維層３の上に配置された繊維パッド２ａは、繊維層３との間に空間を形成し、空間に別の繊維層１３，１４が配置される。繊維層１３，１４は、繊維球状体９を充填した筒状部７の高さとほぼ同じ厚さである。図２に示す敷布団１ａでは、繊維層１３，１４は別体であるが、繊維層３に一体成形されていてもよい。
【００２７】
図３に示す敷布団１ｂは、図１に示す敷布団１と比較すると、中綿積層体５ｂの構成が相違している。中綿積層体５ｂは、長手方向を直交する方向に列設した複数の筒状部７に繊維球状体９を充填した繊維パッド２ｂとその下側に配置された繊維層３およびウレタンフォーム層４とからなる積層体とをファスナー手段１５を介して取り外し自在に連結している。
【００２８】
図４に示す敷布団１ｃは、図３に示す敷布団１ｂと比較すると、中綿積層体５ｃの構成が相違している。中綿積層体５ｃは、繊維パッド２ｃの下側にファスナー手段１５を介して取り外し自在に配置された積層体の繊維層３とウレタンフォーム層４との間にシート状ヒーター１６を配置している。シート状ヒーター１６は、繊維層３と繊維パッド２ｃの間に配置されていてもよい。このシート状ヒーター１６は、静電治療器の電床板などの機能性部品と交換することもできる。
【００２９】
なお、上記実施の形態では、繊維パッドは、一方向に列設した筒状部を有する構成であるが、繊維パッド本体を１枚の布地を２つ折りし、キルティング加工または接着剤により複数の菱形または矩形の小室を形成し、各小室に繊維球状体を充填することで繊維パッドを構成することもできる。
【００３０】
【発明の効果】
本発明の繊維パッドは、パッド本体の長手方向を横切る方向に列設した筒状部に繊維球状体と充填したので、使用者の体圧がかかっても、パッド本体の筒状部に充填された繊維球状体がつぶれることがないので、一定の厚さ空間を保つことができ、高い通気性を保持するとともに指圧効果を改善することができる。
【００３１】
本発明の敷布団は、長手方向を横切る方向に列設した筒状部に繊維球状体を充填した繊維パッドと繊維層とを有する中綿積層体を布製外被体に収納したことで、使用者の体圧がかかっても、繊維パッドの筒状部に充填された繊維球状体がつぶれないので、一定の厚さ空間を保つことができ、高い通気性を保持するとともに指圧効果を改善することができる。
【図面の簡単な説明】
【図１】本発明による好ましい実施の形態の敷布団の斜視図である。
【図２】本発明による他の実施の形態の敷布団の外被体を取り除いた斜視図である。
【図３】本発明による他の実施の形態の敷布団の外被体を取り除いた斜視図である。
【図４】本発明による他の実施の形態の敷布団の外被体を取り除いた斜視図である。
【符号の説明】
１  敷布団
２  繊維パッド
３  繊維層
５  中綿積層体
６  布製外被体
７  筒状部
８  繊維パッド本体
９  繊維球状体
【図１】
2004242697.tif 000003
【図２】
2004242697.tif 000004
【図３】
2004242697.tif 000005
【図４】
2004242697.tif 000006